【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
同一のグループに所属する複数の情報処理装置間で通信を行うグループ通信システムの制御方法であって、
前記情報処理装置の夫々は互いに通信可能に接続し、
前記グループに所属している前記情報処理装置の夫々は、
前記グループに所属している前記情報処理装置の識別情報を記憶し、
記憶している前記識別情報に対応する前記情報処理装置の夫々との間でデータの送受信を行い、
前記グループに所属している前記情報処理装置である第１の情報処理装置は、
前記グループに参加しようとしている他の情報処理装置の認証を行い、
前記認証が成功したときに、前記他の情報処理装置の識別情報を含む参加通知情報を前記グループに所属している前記情報処理装置の夫々に送信し、
前記グループに所属している、前記第１の情報処理装置とは異なる前記情報処理装置である第２の情報処理装置は、
前記第１の情報処理装置の通信が切断されたことを検出し、
前記第１の情報処理装置の通信が切断されたときに前記認証を代行し、
前記代行した認証が成功したときに、前記参加通知情報を前記グループに所属している前記情報処理装置の夫々に送信し、
前記グループに所属している前記情報処理装置の夫々は、
前記第１の情報処理装置又は前記第２の情報処理装置から送信される前記参加通知情報を受信し、
受信した前記参加通知情報に含まれる前記識別情報を記憶すること、
を特徴とするグループ通信システムの制御方法。
【請求項２】
請求項１に記載のグループ通信システムの制御方法であって、
前記グループに所属している前記情報処理装置の夫々は、前記識別情報に対応付けて前記情報処理装置の通信状態を示す情報である通信状態情報を記憶し、
前記第１の情報処理装置は、
前記グループに所属している前記情報処理装置の夫々について、前記情報処理装置の前記通信状態情報を取得し、
取得した前記通信状態情報の夫々に、対応する前記識別情報を付帯させて前記グループに所属する前記情報処理装置の夫々に送信し、
第２の情報処理装置は、
前記第１の情報処理装置の通信が切断されたときに、前記情報処理装置の夫々の前記通信状態情報の取得を代行し、
取得した前記通信状態情報の夫々に、対応する前記情報処理装置の識別情報を付帯させて前記グループに所属する前記情報処理装置の夫々に送信し、
前記グループに所属している前記情報処理装置の夫々は、
前記第１の情報処理装置又は第２の情報処理装置から送信される前記通信状態情報を受信し、
受信した前記通信状態情報に基づいて記憶している前記通信状態情報を更新すること、
を特徴とするグループ通信システムの制御方法。
【請求項３】
請求項１に記載のグループ通信システムの制御方法であって、
前記グループに所属する前記情報処理装置の夫々は、データを暗号化するための暗号鍵を記憶し、
前記第１の情報処理装置又は第２の情報処理装置は、前記認証が成功した場合に前記暗号鍵を前記他の情報処理装置に送信し、
前記グループに所属する前記情報処理装置の夫々は、前記送受信する前記データに対して、前記暗号鍵を用いて暗号化を施すこと、
を特徴とするグループ通信システムの制御方法。
【請求項４】
請求項１に記載のグループ通信システムの制御方法であって、
前記第１の情報処理装置は、
前記グループに所属している前記情報処理装置のひとつを前記第２の情報処理装置として選択し、
選択した前記第２の情報処理装置に対し、前記第１の情報処理装置が前記グループを離脱することを示すメッセージを送信し、
前記第２の情報処理装置は、
前記第１の情報処理装置から前記メッセージを受信し、
前記メッセージを受信したことにより前記第１の情報処理装置の通信が切断されたことを検出すること、
を特徴とするグループ通信システムの制御方法。
【請求項５】
請求項４に記載のグループ通信システムの制御方法であって、
前記第１の情報処理装置は、
前記グループに所属する前記第１の情報処理装置以外の前記情報処理装置の夫々について、前記情報処理装置との間の通信品質を示す情報である通信品質情報を取得し、
取得した前記通信品質情報に応じて前記情報処理装置を前記第２の情報処理装置として選択すること、
を特徴とするグループ通信システムの制御方法。
【請求項６】
請求項５に記載のグループ通信システムの制御方法であって、
前記情報処理装置の夫々は、アドホック方式の無線通信又はＴＣＰ／ＩＰ方式の有線通信によって通信を行い、
前記第１の情報処理装置は、
前記グループに所属する前記第１の情報処理装置以外の前記情報処理装置の夫々について、前記第１の情報処理装置との間のホップ数を前記通信品質情報として取得し、
取得した前記ホップ数に応じて前記第２の情報処理装置として選択すること、
を特徴とするグループ通信システムの制御方法。
【請求項７】
請求項４に記載のグループ通信システムの制御方法であって、
前記第１の情報処理装置は、
所定の期間毎に、前記グループに所属する前記第１の情報処理装置以外の前記情報処理装置の夫々について、前記情報処理装置との間の通信品質を示す情報である通信品質情報を取得し、
取得した前記通信品質情報に基づいて、当該情報処理装置の通信状況を評価するための評価値を算出し、
算出した前記評価値が所定の閾値を下回ったときに、前記グループに所属する前記第１の情報処理装置以外の前記情報処理装置の夫々に対して、前記認証を行う第２の情報処理装置を選択するように指示する認証装置選択メッセージを送信し、
前記グループに所属する前記第１の情報処理装置以外の前記情報処理装置の夫々は、
前記認証装置選択メッセージを受信し、
前記認証装置選択メッセージの受信に応じて、当該情報処理装置と前記グループに所属する前記情報処理装置の夫々との間の前記通信品質情報を取得し、
取得した前記通信品質情報に基づく前記評価値を算出し、
算出した前記評価値を前記第１の情報処理装置に送信し、
前記第１の情報処理装置は、
前記グループに所属する前記情報処理装置の夫々から前記評価値を受信し、
受信した前記評価値に応じて前記第２の情報処理装置を選択すること、
を特徴とするグループ通信システムの制御方法。
【請求項８】
同一のグループに所属する複数の情報処理装置間で通信を行うグループ通信システムであって、
前記情報処理装置の夫々は互いに通信可能に接続し、
前記グループに所属している前記情報処理装置の夫々は、
前記グループに所属している前記情報処理装置の識別情報を記憶するメンバ記憶部と、
前記メンバ記憶部に記憶されている前記識別情報に対応する前記情報処理装置の夫々との間でデータの送受信を行うグループ通信部と、
を備え、
前記グループに所属している前記情報処理装置である第１の情報処理装置は、
前記グループに参加しようとしている他の情報処理装置の認証を行う第１の認証処理部と、
前記認証が成功したときに、前記他の情報処理装置の識別情報を含む参加通知情報を前記グループに所属している前記情報処理装置の夫々に送信する参加通知情報送信部と、
を備え、
前記グループに所属している、前記第１の情報処理装置とは異なる前記情報処理装置である第２の情報処理装置は、
前記第１の情報処理装置の通信が切断されたことを検出する切断検出部と、
前記第１の情報処理装置の通信が切断されたときに前記認証を代行する第２の認証処理部と、
前記第２の認証処理部が代行した前記認証が成功したときに、前記参加通知情報を前記グループに所属している前記情報処理装置の夫々に送信する第２の参加通知情報送信部と、
を備え、
前記グループに所属している前記情報処理装置の夫々は、
前記第１の情報処理装置又は前記第２の情報処理装置から送信される前記参加通知情報を受信する参加通知情報受信部と、
受信した前記参加通知情報に含まれる前記識別情報を、前記メンバ記憶部に記憶させるメンバ管理部と、
を備えることを特徴とするグループ通信システム。
【請求項９】
請求項８に記載のグループ通信システムであって、
前記メンバ記憶部は、前記識別情報に対応付けて前記情報処理装置の通信状態を示す情報である通信状態情報を記憶し、
前記第１の情報処理装置は、
前記グループに所属している前記情報処理装置の夫々について、前記情報処理装置の前記通信状態情報を取得する第１の通信状態情報取得部と、
取得した前記通信状態情報の夫々に、対応する前記識別情報を付帯させて前記グループに所属する前記情報処理装置の夫々に送信する第１の通信状態情報送信部と、を備え、
第２の情報処理装置は、
前記第１の情報処理装置の通信が切断されたときに、前記情報処理装置の夫々の前記通信状態情報の取得を代行する第２の通信状態情報取得部と、
前記第２の通信状態情報取得部が取得した前記通信状態情報の夫々に、対応する前記情報処理装置の識別情報を付帯させて前記グループに所属する前記情報処理装置の夫々に送信する第２の通信状態情報送信部と、を備え、
前記グループに所属している前記情報処理装置の夫々は、前記第１の情報処理装置又は第２の情報処理装置から送信される前記通信状態情報を受信する通信状態情報受信部を備え、
前記メンバ管理部は、受信した前記通信状態情報に基づいて、前記メンバ記憶部が記憶している前記通信状態情報を更新すること、
を特徴とするグループ通信システム。
【請求項１０】
請求項８に記載のグループ通信システムにおける、前記第２の情報処理装置の機能を有する情報処理装置であって、
前記第１の情報処理装置の通信が切断されたことを検出する切断検出部と、
前記第１の情報処理装置の通信が切断されたときに前記認証を代行する第２の認証処理部と、
前記第２の認証処理部が代行した前記認証が成功したときに、前記参加通知情報を前記グループに所属している前記情報処理装置の夫々に送信する第２の参加通知情報送信部と、
を備えることを特徴とする情報処理装置。
【請求項１１】
請求項９に記載のグループ通信システムにおける、前記第２の情報処理装置の機能を有する情報処理装置であって、
前記第１の情報処理装置の通信が切断されたときに、前記情報処理装置の夫々の前記通信状態情報の取得を代行する第２の通信状態情報取得部と、
前記第２の通信状態情報取得部が取得した前記通信状態情報の夫々に、対応する前記情報処理装置の識別情報を付帯させて前記グループに所属する前記情報処理装置の夫々に送信する第２の通信状態情報送信部と、を備え、
前記グループに所属している前記情報処理装置の夫々は、前記第１の情報処理装置又は第２の情報処理装置から送信される前記通信状態情報を受信する通信状態情報受信部を備え、
前記メンバ管理部は、受信した前記通信状態情報に基づいて、前記メンバ記憶部が記憶している前記通信状態情報を更新すること、
を備えることを特徴とする情報処理装置。
【請求項１２】
グループに参加しようとしている他の情報処理装置の認証を行い、前記認証が成功したときに、前記他の情報処理装置の識別情報を含む参加通知情報を前記グループに所属している情報処理装置の夫々に送信する第１の情報処理装置と通信可能に接続する第２の情報処理装置に、
前記グループに所属している前記情報処理装置の識別情報を記憶するステップと、
記憶されている前記識別情報に対応する前記情報処理装置の夫々との間でデータの送受信を行うステップと、
前記第１の情報処理装置の通信が切断されたことを検出するステップと、
前記第１の情報処理装置の通信が切断されたときに前記認証を代行するステップと、
前記代行した認証が成功したときに、前記参加通知情報を前記グループに所属している前記情報処理装置の夫々に送信するステップと、
前記参加通知情報に含まれる前記識別情報を記憶するステップと、
を実行させるためのプログラム。